(57)【特許請求の範囲】
【請求項１】
利用者の生体から個人情報を読取る読取部、個人情報が予め登録された個人情報登録部、前記読取部で読取った個人情報を前記個人情報登録部に登録された個人情報と照合して認証する認証制御部、及び前記認証制御部の指示により文字表示又は音声報知の少なくとも何れかを行う報知部を備えた認証装置と、
前記認証制御部の認証結果に基づいて必要な機器を制御するアクセス制御装置と、
を備えた出入管理システムに於いて、
前記認証装置は、
前記個人情報登録部に、利用者の個人情報に対応付けて当該利用者の使用言語を示す言語情報が予め登録され、
前記報知部の使用言語を、前記読取部で前記利用者の生体から読取った個人情報に対応付けて前記個人情報登録部に登録された言語情報に基づく言語に切り替え、前記認証制御部が前記読取った個人情報の認証に失敗した場合は、最も照合度合いの高い個人情報に対応付けて前記個人情報登録部に登録された言語情報に基づく言語に切り替える報知制御部を備えたことを特徴とする出入管理システム。
【請求項２】
請求項１記載の出入管理システムに於いて、前記報知制御部は、前記読取部で読取った個人情報に対応付けられた言語情報が前記個人情報登録部に登録されていない場合、前記報知部の使用言語を初期設定された言語に切り替えることを特徴とする出入管理システム。
【請求項３】
利用者の生体から個人情報を読取る読取部、個人情報が予め登録された個人情報登録部、前記読取部で読取った個人情報を前記個人情報登録部に登録された個人情報と照合して認証する認証制御部、及び前記認証制御部の指示により文字表示又は音声報知の少なくとも何れかを行う報知部を備えた認証装置に於いて、
前記個人情報登録部に、利用者の個人情報に対応付けて当該利用者の使用言語を示す言語情報が予め登録され、
前記報知部の使用言語を、前記読取部で前記利用者の生体から読取った個人情報に対応付けて前記個人情報登録部に登録された言語情報に基づく言語に切り替え、前記認証制御部が前記読取った個人情報の認証に失敗した場合は、最も照合度合いの高い個人情報に対応付けて前記個人情報登録部に登録された言語情報に基づく言語に切り替える報知制御部を備えたことを特徴とする認証装置。
【請求項４】
請求項３記載の認証装置に於いて、前記報知制御部は、前記読取部で読取った個人情報に対応付けられた言語情報が前記個人情報登録部に登録されていない場合、前記報知部の使用言語を初期設定された言語に切り替えることを特徴とする認証装置。
【発明の詳細な説明】
【技術分野】
【０００１】
本発明は、磁気カード、非接触ＩＣカード、生体など個人情報を認証して施設への出入り等を管理する出入管理システム及び認証装置に関する。
【背景技術】
【０００２】
従来、出入管理システムに用いる認証装置は、磁気カードや非接触式ＩＣカードの個人情報（ＩＤ情報）を読み取るカード認証装置（カードリーダ）、指静脈、手のひら静脈、顔などの生体個人情報を読取る生体認証装置を使用し、例えば非接触式ＩＣカードの場合であれば、入り口扉の外側に配置したカード認証装置にＩＣカードをかざすことで個人情報を読み取り、事前登録している個人情報との照合一致が得られた場合に電気錠を開錠してドアを開き、出入できるようにしている。
【０００３】
認証装置には、文字表示可能なディスプレイを設けたり、音声による報知機能を設けており、例えば個人情報の読み取りに失敗したような場合のエラーメッセージやシステムの利用の仕方を示すガイダンスメッセージなどをディスプレイに文字表示したり、音声メッセージとして流したりしている。
【０００４】
また出入管理システムを利用する人は、近年にあっては、様々な国籍の人も含まれるようになり、これに対応するため、認証装置に利用者の操作による使用言語の切替え機能を設け、利用者の使用言語によるメッセージの文字表示と音声による出力を可能としている。
【先行技術文献】
【特許文献】
【０００５】
【特許文献１】特開平９−２４５２７９号公報
【発明の概要】
【発明が解決しようとする課題】
【０００６】
しかしながら、従来の出入管理システム及びその認証装置にあっては、初期設定した日本語によるメッセージの表示と音声出力では分からない場合に、利用者が自分の使用言語に切替える操作を必要とし、操作が煩雑になる問題がある。
【０００７】
特に認証装置によるメッセージの表示や音声報知は、個人情報の認証に失敗した場合などのエラーに対するものが中心となり、多くの人が出入りしている中で、エラーが発生してメッセージを理解するために言語の切替え操作を行う等して操作に手間取ることは、その利用者本人にとって不快なことであり、最初から分かる言語でメッセージの表示や音声報知があれば、その内容を直ぐに理解してスムースな対応が可能であるにも係らず、これができない状況にあり、この点の改善が強く望まれる。
【０００８】
本発明は、利用者の操作を必要とすることなく、必要とする言語に自動的に切替えて表示や音声メッセージを行うことを可能とする出入管理システム及び認証装置を提供することを目的とする。
【課題を解決するための手段】
【００１０】
本発明は、
利用者の生体から個人情報を読取る読取部、個人情報が予め登録された個人情報登録部、読取部で読取った個人情報を個人情報登録部に登録された個人情報と照合して認証する認証制御部、及び認証制御部の指示により文字表示又は音声報知の少なくとも何れかを行う報知部を備えた認証装置と、
認証制御部の認証結果に基づいて必要な機器を制御するアクセス制御装置と、
を備えた出入管理システムに於いて、
認証装置は、
前記個人情報登録部に、利用者の個人情報に対応付けて当該利用者の使用言語を示す言語情報が予め登録され、
報知部の使用言語を、読取部で利用者の生体から読取った個人情報に対応付けて個人情報登録部に登録された言語情報に基づく言語に切り替え、認証制御部が読取った個人情報の認証に失敗した場合は、最も照合度合いの高い個人情報に対応付けて個人情報登録部に登録された言語情報に基づく言語に切り替える報知制御部を備えたことを特徴とする。
【００１１】
また本発明の報知制御部は、読取部で読取った個人情報に対応付けられた言語情報が個人情報登録部に登録されていない場合、報知部の使用言語を初期設定された言語に切り替える。
【００１３】
また本発明は、利用者の生体から個人情報を読取る読取部、個人情報が予め登録された個人情報登録部、読取部で読取った個人情報を個人情報登録部に登録された個人情報と照合して認証する認証制御部、及び認証制御部の指示により文字表示又は音声報知の少なくとも何れかを行う報知部を備えた認証装置に於いて、
個人情報登録部に、利用者の個人情報に対応付けて当該利用者の使用言語を示す言語情報が予め登録され、
報知部の使用言語を、読取部で利用者の生体から読取った個人情報に対応付けて個人情報登録部に登録された言語情報に基づく言語に切り替え、認証制御部が読取った個人情報の認証に失敗した場合は、最も照合度合いの高い個人情報に対応付けて個人情報登録部に登録された言語情報に基づく言語に切り替える報知制御部を備えたことを特徴とする。
【００１４】
また本願発明の報知制御部は、読取部で読取った個人情報に対応付けられた言語情報が個人情報登録部に登録されていない場合、報知部の使用言語を初期設定された言語に切り替える。
【発明の効果】
【００１５】
（カードに言語情報を記録した場合の効果）
本発明によれば、磁気カードや非接触ＩＣカードなど利用者が所持する個人情報記録手段から個人情報を読取って認証する認証装置の場合には、個人情報記録手段に利用者の使用言語、例えば日本語、英語、中国語、韓国語、フランス語、ドイツ語といった使用言語を示す言語情報を予め記録しておき、認証装置で個人情報記録手段から個人情報と共に言語情報を読取り、表示部及び又は音声報知部を、読取った言語情報に対応した言語に自動的に切り替えて表示及び又は音声報知を行うようにしたため、利用者による使用言語の切替え操作を必要とすることなく、利用者の使用言語による表示及び又は音声報知を行い、例えば認証できなかった場合のエラーメッセージなどにつき、直ぐにその内容を把握して必要な対応を行うことが可能となり、使用言語の切替操作に手間取って不快な思いをしたり、後続する利用者に迷惑をかけるようなことを抑制できる。
【００１６】
（認証装置に言語情報を登録した場合の効果）
本発明によれば、個人情報、利用者の指静脈、手のひら静脈、顔といった生体個人情報を読取って認証する認証装置を使用する場合に、利用者の個人情報に対応付けして利用者が使用する言語を示す言語情報を事前登録しておくことで、利用者の個人情報を読取った場合に、当該個人情報に対応した登録済みの言語情報を取得し、当該言語情報に基づく言語に自動的に切り替えて表示及び又は音声報知を行うことができ、利用者による使用言語の切替え操作を必要とすることなく、利用者の使用言語による表示及び又は音声報知を行い、例えば認証できなかった場合のエラーメッセージなどにつき、直ぐにその内容を把握して必要な対応を行うことが可能となり、使用言語の切替操作に手間取って不快な思いをしたり、後続する利用者に迷惑をかけるようなことを抑制できる。
【００１７】
また、個人情報記録手段毎に言語情報を記録する手間を省くことができ、出入管理システムの運用管理を簡単に行うことを可能とする。
【図面の簡単な説明】
【００１８】
【図１】出入管理システムの概略構成を示した説明図
【図２】カード認証装置の概略構成を示したブロック図
【図３】図２の認証装置による認証処理の概略を示したフローチャート
【図４】指静脈認証装置の概略構成を示したブロック図
【図５】図４の指静脈認証装置による認証処理の概略を示したフローチャート
【発明を実施するための形態】
【００１９】
［出入管理システムの概要］
図１は出入管理システムの概略構成を示した説明図である。図１において、本実施形態の出入管理システムは、磁気カード１２を使用するカード認証装置１０−１、非接触ＩＣカード１４を使用する非接触カード認証装置１０−２、指静脈認証装置１０−３、手のひら静脈認証装置１０−４、顔認証装置１０−５、アクセス制御盤１６、電気錠１８−１〜１８−５、センター装置２２、クライアント装置２４を備える。
【００２０】
なお、図１の出入管理システムにあっては、アクセス制御盤１６にカード認証装置１０−１、非接触カード認証装置１０−２、指静脈認証装置１０−３、手のひら静脈認証装置１０−４、顔認証装置１０−５といった異なる認証装置を接続しているが、これはアクセス制御盤１６に接続可能な認証装置の一例を示すものであり、実際のシステムにあっては、普通の部屋にはカード認証装置１０−１や非接触カード認証装置１０−２を設置して接続し、セキュリティ性の高い部屋には指静脈認証装置１０−３、手のひら静脈認証装置１０−４、顔認証装置１０−５といった生体認証装置を設置して接続することになる。またアクセス制御盤１６は請求項のアクセス制御装置に対応する。
【００２１】
更に、以下の説明では、カード認証装置１０−１、非接触カード認証装置１０−２、指静脈認証装置１０−３、手のひら静脈認証装置１０−４、顔認証装置１０−５を区別せずに総称する場合は認証装置１０又は認証装置１０−１〜１０−５という。
【００２２】
カード認証装置１０−１、非接触カード認証装置１０−２、指静脈認証装置１０−３、手のひら静脈認証装置１０−４、顔認証装置１０−５は、それぞれ磁気カード１２、非接触ＩＣカード１４、利用者の指静脈、手のひら静脈、顔を読取って予め登録したそれぞれの個人情報と照合し、照合一致により認証成功を判別した場合に認証信号をアクセス制御盤１６へ送信する。
【００２３】
アクセス制御盤１６は認証装置１０−１〜１０−５から認証信号を受信した場合、対応する出入口に設けた電気錠１８−１〜１８−５へ制御信号を出力して解錠制御し、出入を可能とする。
【００２４】
センター装置２２はＬＡＮ（ローカルエリアネットワーク）２０を介してアクセス制御盤１６と接続し、出入管理システムを設置した施設の地図画面表示などの管理情報を表示する。
【００２５】
クライアント装置２４はＬＡＮ２０を介してアクセス制御盤１６と接続し、アクセス制御盤１６を経由して認証装置１０−１〜１０−５との間で磁気カード１２、非接触ＩＣカード１４、指静脈、手のひら静脈、顔を含む個人情報の登録、削除、履歴検索などの各種設定や処理を行う。
【００２６】
本実施形態の認証装置１０−１〜１０−５は、いずれもメッセージを文字表示する表示部とメッセージを音声報知する音声報知部の少なくともいずれか一方もしくは両方を備えている。表示部及び音声報知部は、複数の言語に対応しており、使用言語を切り替えることができる。本発明にあっては、個人情報の認証を行った場合に、個人情報に対応する言語情報に基づき、表示部及び音声報知部で使用する言語を自動的に切り替えるようにしている。
【００２７】
［カード認証装置］
（カード認証装置の構成）
図２は図１のカード認証装置１０−１の概略構成を示したブロック図である。図２において、カード認証装置１０−１は、磁気カード読取部２６、操作部２８、報知部３０、認証制御部３２ａ、通信部３４、個人情報登録部３６ａ及び報知制御部３８を備える。
【００２８】
また点線で示す制御ブロック４４はＣＰＵ、メモリ、各種入出力ポート等を備えたコンピュータ回路またはワイヤードロジック回路等で構成し、制御ブロック４４に含まれる認証制御部３２ａ、個人情報登録部３６ａ及び報知制御部３８の機能は例えばＣＰＵによるプログラムの実行により実現する。なお、制御ブロック４４に含まれる認証制御部３２ａ、個人情報登録部３６ａ及び報知制御部３８の機能は、必要に応じて更に分割或いは統合することができる。
【００２９】
磁気カード読取部２６は磁気カード１２に磁気的に記録している利用者のＩＤ番号などの個人情報を読取って読取信号を認証制御部３２ａに出力する。磁気カード１２はテープ状の磁気記録媒体に所定のフォーマットに従って利用者の個人情報を予め記録しており、更に、本実施形態で使用する磁気カード１２にあっては、利用者の使用言語を示す言語情報を予め記録している。
【００３０】
本実施形態のカード認証装置１０−１で対応可能な言語は、日本語以外に、例えば英語、中国語、韓国語、フランス語、ドイツ語の６ケ国語を対応可能としている。このため磁気カード１２に記録する言語情報としては３ビットを割り当てる。言語情報は磁気カード１２の個人情報を記録しているフォーマット領域の中の空き領域に記録しても良いし、個人情報を記録しているフォーマット領域に続く領域に記録しても良い。このため磁気カード読取部２６は磁気カード１２の読取りにより個人情報と言語情報を含む読取信号を認証制御部３２ａへ出力する。
【００３１】
ここで磁気カード認証装置１０−１は、文字表示及び音声報知の使用言語として日本語を初期設定しており、初期設定した日本語については磁気カード１２にその言語情報を記録する必要はなく、日本語以外の言語を使用する場合に、その言語情報を記録する。これにより日本語以外の言語を使用する利用者の磁気カード１２に言語情報を記録するだけで済み、磁気カード１２の発行や管理が簡単になる。
【００３２】
操作部２８は警戒スイッチ、警戒解除スイッチなどの各種スイッチを備え、各スイッチの操作は認証制御部３２ａにより受け付けられ、警戒セット、警戒解除などの必要な制御動作が行われる。
【００３３】
報知部３０は表示部４０と音声報知部４２を備える。表示部４０は、文字表示可能な液晶ディスプレイなどの文字表示部、読取表示灯、解錠表示灯、電源灯などの各種の表示機能を備え、報知制御部３８からの表示制御信号を受けて表示動作を行う。
【００３４】
音声報知部４２は、音声増幅回路及びスピーカを備え、報知制御部３８からの音声信号を受けて音声メッセージをスピーカから出力する。通信部３４は認証制御部３２ａの指示によりアクセス制御盤１６との間で信号を送受信する。
【００３５】
（個人情報の認証制御）
個人情報登録部３６ａは、図１のカード認証装置１０−１の利用者に発行した磁気カード１２に記録したＩＤ番号などの個人情報を予め登録している。この個人情報の事前登録は例えば図１に示したクライアント装置２４の操作で行う。
【００３６】
認証制御部３２ａは、磁気カード読取部２６の読取信号から得た個人情報と、個人情報登録部３６ａに予め登録した個人情報と照合し、照合一致による認証成功に基づき通信部３４を介してアクセス制御盤１６へ認証信号を送信する制御を行い、アクセス制御盤１６から磁気カード読取装置１０−１に対応する出入口の例えば電気錠１８−１へ制御信号を出力して解錠動作を行わせる。
【００３７】
また認証制御部３２ａは認証に成功した場合、報知制御部３８へ表示指示を出力する制御を行い、報知制御部３８から表示部４０へ表示制御信号を出力させ、その読取表示灯及び解錠表示灯を所定時間点灯した後に消灯させる。
【００３８】
また認証制御部３２ａは読取った個人情報の認証に失敗した場合、報知制御部３８へメッセージ報知指示を出力する制御を行い、報知制御部３８から表示部４０の文字表示部へ文字表示制御信号を出力させ、エラーメッセージを表示させると共に、音声報知部４２へ音声信号を出力させ、スピーカからエラーメッセージを音声報知させる。
【００３９】
この場合、認証制御部３２ａから報知制御部３８へ出力するメッセージ報知指示は、メッセージ種別情報および磁気カード１２から読取った言語情報を含む形式とする。
【００４０】
また認証制御部３２ａは、個人情報の認証に失敗した場合以外にも必要に応じて報知制御部３８へメッセージ報知指示を出力する制御を行い、表示部４０の文字表示部に必要なメッセージを表示させると共に、音声報知部４２のスピーカから必要なメッセージを音声報知させる。
【００４１】
このようなメッセージとしては例えば次のものがある。
（１）システムの使い方を示すガイダンスメッセージ
（２）アンチパスバックに対するメッセージ
（３）利用時間外のアクセスに対するメッセージ
【００４２】
ここで、アンチパスバックとは、共連れによる不正通行を防ぐため、入室側のカード認証装置を使用しないと、退室側のカード認証装置を使用できないように入退出制限をかけることをいう。このようなアンチパスバックの対象となった利用者の退室の際のカード読取において、認証制御部３２ａは読取った個人情報の認証に成功するが、アンチパスバックと認識して認証信号の送信による電気錠１８−１等の解錠は行わず、不正通行となっていることを示すメッセージの表示と音声報知を行う。
【００４３】
また利用時間帯を設定している場合には、時間外のアクセスに対し利用時間外であることを示すメッセージの表示と音声報知を行う。
【００４４】
（使用言語の切替制御）
報知制御部３８は、表示及び音声報知に使用するメッセージ情報を、日本語、英語、中国語、韓国語、フランス語、ドイツ語に分けて予め記憶している。
【００４５】
また報知制御部３８は、認証制御部３２ａからのメッセージ報知指示を受けた場合、当該メッセージ報知指示に含まれたメッセージ種別情報と磁気カード１２から読取った言語情報に基づき、対応する言語のメッセージ情報を読み出し、それぞれ文字表示制御信号および音声信号に変換して表示部４０と音声報知部４２に出力する制御を行い、磁気カード１２から読取った言語情報に基づく利用者の使用する言語に切り替えてメッセージの文字表示と音声報知を行わせる。
【００４６】
なお、報知制御部３８はメッセージ報知指示に言語情報が含まれていなかった場合は、磁気カード１２に言語情報を記録していない初期設定した日本語の場合であることから、日本語のメッセージ情報を読み出し、日本語による文字表示と音声報知を行わせる。
【００４７】
（カード認証動作）
図３は図２のカード認証装置１０−１による認証動作の概略を示したフローチャートである。
【００４８】
図３において、ステップＳ１（以下「ステップ」は省略）で磁気カード読取部２６により磁気カード１２から利用者の個人情報と言語情報を読取って読取信号を認証制御部３２ａに出力する。
【００４９】
続いてＳ２に進み、認証制御部３２ａは読取信号から取得した個人情報を個人情報登録部３６ａに登録している個人情報と照合する認証を行う。この認証につき、照合一致により認証成功を判別した場合はアクセス制御盤１６へ認証信号を出力し、対応する電気錠１８−１等の解錠を行わせる。認証に失敗した場合は電気錠１８−１等の解錠は行わない。
【００５０】
続いてＳ３に進み、認証制御部３２ａは認証処理に伴うメッセージ報知を必要とする場合は、報知制御部３８へメッセージ報知ありを判別してステップＳ４に進み、メッセージ種別情報とＳ１で読取った言語情報を含むメッセージ報知指示を報知制御部３８へ出力する。
【００５１】
続いてＳ５に進み、報知制御部３８はメッセージ報知指示に含まれたメッセージ種別情報と言語情報に基づき、例えば英語のメッセージ情報を読み出すことで使用言語の切替制御を行い、Ｓ６で文字表示制御信号と音声信号を表示部４０と音声報知部４２に出力し、磁気カード１２から読取った言語情報に基づく利用者の使用言語である例えば英語によるメッセージの表示と音声報知を行う。
【００５２】
［非接触カード認証装置］
図１に示した非接触カード認証装置１０−２の構成は、図２に示したカード認証装置１０−１の磁気カード読取部２６を、非接触ＩＣカード１４の読取り機能を備えた非接触カード読取部に変更すれば良い。また非接触ＩＣカード１４には、磁気カード１２と同様に、利用者を特定するためのＩＤ番号などの個人情報に加え、利用者の使用言語、例えば初期設定した日本語以外の言語を示す言語情報を予め記録している。
【００５３】
それ以外のカード認証装置１０−１における操作部２８、報知部３０、認証制御部３２ａ、通信部３４、個人情報登録部３６ａ、報知制御部３８の構成及び制御動作は、非接触カード認証装置１０−２の場合も同様であることから、その説明を省略する。
【００５４】
［指静脈認証装置］
（指静脈認証装置の構成）
図４は指静脈認証装置１０−３の概略構成を示したブロック図である。図４において、指静脈認証装置１０−３は、指静脈読取部４６、操作部２８、報知部３０、認証制御部３２ｂ、通信部３４、個人情報登録部３６ｂ、報知制御部３８を備え、報知部３０は表示部４０と音声報知部４２を備える。
【００５５】
また点線で示す制御ブロック４４はＣＰＵ、メモリ、各種入出力ポート等を備えたコンピュータ回路またはワイヤードロジック回路等で構成し、制御ブロック４４に含まれる認証制御部３２ｂ、個人情報登録部３６ｂ、報知制御部３８の機能を例えばＣＰＵによるプログラムの実行により実現する。なお、制御ブロック４４に含まれる認証制御部３２ｂ、個人情報登録部３６ｂ及び報知制御部３８の機能は、必要に応じて更に分割或いは統合することができる。
【００５６】
ここで、操作部２８、報知部３０及び通信部３４は図２のカード認証装置１０−１と基本的に同様の構成であることから、その説明を省略する。
【００５７】
指静脈読取部４６は利用者の所定の指、例えば右人差し指の指静脈パターンを読取り、当該パターンの中の所定の特徴点（複数点）の情報を抽出して指静脈個人情報を生成し、当該指静脈個人情報を含む読取信号を認証制御部３２ｂに出力する。
【００５８】
（指静脈個人情報と言語情報の登録）
個人情報登録部３６ｂは、図１の指静脈認証装置１０−３を利用する利用者の指静脈個人情報を予め登録している。この指静脈個人情報の登録は、例えば図１のクライアント装置２４側に登録用の指静脈読取装置を接続し、クライアント装置２４の操作で読取った指静脈個人情報を指静脈認証装置１０−３に転送して登録する。この登録に使用する指静脈個人情報は、指静脈読取部４６の場合と同様に、利用者の例えば右人差し指の指静脈パターンを読取り、当該パターンの中の所定の特徴点（複数点）の情報を抽出して生成した情報である。
【００５９】
更に、個人情報登録部３６ｂには、利用者の指静脈個人情報に対応付けて同じ利用者の使用言語を示す言語情報を予め登録する。この言語情報の登録もクライアント装置２４の操作で行う。
【００６０】
ここで、指静脈認証装置１０−３も使用言語として日本語を初期設定していることから、個人情報登録部３６ｂには日本語以外の言語を使用する利用者について、指静脈個人情報に対応付けて使用言語を示す言語情報を登録する。
【００６１】
（指静脈個人情報の認証制御）
認証制御部３２ｂは、指静脈読取部４６の読取信号から取得した指静脈個人情報と、個人情報登録部３６ｂに登録した指静脈個人情報とを照合し、照合一致による認証成功に基づき通信部３４を介してアクセス制御盤１６へ照合信号を送信する制御を行い、指静脈認証装置１０−３に対応する出入口に設けた電気錠の解錠を行わせる。
【００６２】
また認証制御部３２ｂは認証に成功した場合、報知制御部３８へ表示指示を出力する制御を行い、報知制御部３８から表示部４０へ表示制御信号を出力させ、その読取表示灯及び解錠表示灯を一時的に点灯させる。
【００６３】
また認証制御部３２ｂは指静脈読取部４６で読取った指静脈個人情報の認証に失敗した場合などのメッセージ報知を必要とする場合、メッセージ種別情報と個人情報登録部３６ｂから読み出した言語情報を含むメッセージ報知指示を報知制御部３８へ出力する制御を行う。
【００６４】
ここで、指静脈読取部４６で読取った指静脈個人情報の認証に失敗した場合には、個人情報登録部３６ｂに登録している指静脈個人情報を特定できないため、これに対応付けして登録した言語情報を取得することができない。しかしながら、指静脈個人情報の照合処理にあっては、照合一致の度合いが所定の閾値以上の場合に照合一致と判別しており、閾値には満たないが、閾値未満の候補は１又は複数得られている。このため閾値未満ではあるが、その中で最も照合一致の度合いの高い第１候補を特定することで、第１候補の指静脈情報に対応付けした言語情報を個人情報登録部３６ｂから読み出すことができる。
【００６５】
報知制御部３８は、表示及び音声報知に使用するメッセージ情報を例えば日本語、英語、中国語、韓国語、フランス語、ドイツ語に分けて予め記憶している。
【００６６】
また報知制御部３８は、認証制御部３２ｂからメッセージ報知指示を受けた場合、当該メッセージ報知指示に含まれたメッセージ種別情報と言語情報に基づき、対応する言語のメッセージ情報を読み出し、文字表示制御信号および音声信号に変換してそれぞれ表示部４０と音声報知部４２に出力する制御を行い、読取った指静脈個人情報に基づく利用者の使用言語に切り替えてメッセージの表示と音声報知を行わせる。
【００６７】
なお、報知制御部３８はメッセージ報知指示に言語情報が含まれていなかった場合は、初期設定した日本語であることを認識して日本語のメッセージ情報を読み出し、日本語による文字表示と音声報知を行わせる。
【００６８】
（指静脈の認証動作）
図５は図４の指静脈認証装置１０−３による認証動作の概略を示したフローチャートである。図５において、Ｓ１１で指静脈読取部４６により利用者の指静脈パターンを検出して特徴点の抽出による指静脈個人情報を生成し、これを含む読取信号を認証制御部３２ｂに出力する。
【００６９】
続いてＳ１２に進み、認証制御部３２ｂは読取信号から取得した指静脈個人情報を、個人情報登録部３６ｂに登録している指静脈個人情報と照合する認証を行う。
【００７０】
この認証につき、照合一致により認証成功を判別した場合はアクセス制御盤１６へ認証信号を出力し、対応する電気錠１８−３の解錠を行わせる。認証に失敗した場合は電気錠１８−３の解錠は行わない。
【００７１】
続いてＳ１３に進み、認証制御部３２ｂは認証処理に伴うメッセージ報知の有無を判別し、メッセージ報知有りを判別するとＳ１４に進み、個人情報登録部３６ｂから指静脈個人情報に対応付けした言語情報を読み出し、報知制御部３８へメッセージ種別と言語情報を含むメッセージ報知指示を出力する。
【００７２】
ここで、Ｓ１２の認証結果が認証成功であれば、特定した指静脈個人情報に対応付けた言語情報を個人情報登録部３６ｂから読み出してメッセージ報知指示を出力するが、認証失敗の場合は、認証に失敗した中で照合一致の度合いが最も高い第１候補の指静脈個人情報に対応付けした言語情報を個人情報登録部３６ｂから読み出してメッセージ報知を指示する。
【００７３】
続いてＳ１５に進み、報知制御部３８は認証制御部３２ｂからのメッセージ報知指示のメッセージ種別情報と言語情報に基づき、例えば英語のメッセージ情報を読み出すことで使用言語の切替制御を行い、Ｓ１６で文字表示制御信号と音声信号を表示部４０と音声報知部４２に出力し、指静脈読取部４６で読取った利用者の指静脈個人情報に対応付けした言語情報により例えば英語によるメッセージの表示と音声報知を行う。
【００７４】
［手のひら静脈認証装置］
図１に示した手のひら静脈認証装置１０−４の構成は、図４に示した指静脈認証装置１０−３の指静脈読取部４６を、手のひら静脈の読取り機能を備えた読取部に変更し、手のひら静脈パターンを検出して所定の特徴点（複数点）を抽出した手のひら静脈個人情報を生成し、手のひら静脈個人情報を含む読取信号を認証制御部３２ｂに出力して認証を行わせる。
【００７５】
また個人情報登録部３６ｂは、図１の手のひら静脈認証装置１０−４を利用する利用者の手のひら静脈個人情報と、利用者の使用言語を示す言語情報を予め登録している。この場合も、初期設定した日本語以外の言語について言語情報を登録する。
【００７６】
これ以外の、指静脈認証装置１０−３における操作部２８、報知部３０、認証制御部３２ｂ、通信部３４、報知制御部３８の構成及び制御動作は、手のひら静脈認証装置１０−４の場合も同様であることから、その説明を省略する。
【００７７】
［顔認証装置］
図１に示した顔認証装置１０−５の構成は、図４に示した指静脈認証装置１０−３の指静脈読取部４６を、顔の読取り機能を備えた読取部に変更し、顔パターンを検出して所定の特徴点を抽出した顔個人情報を生成し、これを含む読取信号を認証制御部３２ｂに出力して認証処理を行わせる。
【００７８】
また個人情報登録部３６ｂは、図１の顔認証装置１０−５を利用する利用者の顔個人情報と、利用者の使用言語を示す言語情報を予め登録する。この場合も、初期設定した日本語以外の言語について言語情報を登録する。
【００７９】
それ以外の、指静脈認証装置１０−３における操作部２８、報知部３０、認証制御部３２ｂ、通信部３４、報知制御部３８の構成及び制御動作は、顔認証装置１０−５の場合も同様であることから、その説明を省略する。
【００８０】
［カード認証装置及び非接触カード認証装置の変形例］
図４に示した言語情報を個人情報に対応付けて認証装置側に登録して使用言語を切り替える実施形態は、図１のカード認証装置１０−１及び非接触カード認証装置１０−２にも適用することができる。
【００８１】
この場合、磁気カード１２および非接触ＩＣカード１４に利用者の使用言語に対応した言語情報を記録する必要はない。
【００８２】
カード認証装置１０−１及び非接触カード認証装置１０−２の構成は、図４に示した指静脈認証装置１０−３の指静脈読取部４６を、それぞれ磁気カード読取部と非接触カード読取部に変更する。また個人情報登録部３６ｂは、利用者の保有する磁気カード１２又は非接触ＩＣカード１４に記録したと同じ個人情報と、利用者の使用言語を示す言語情報を予め登録する。この場合も、初期設定した日本語以外の言語について言語情報を登録する。
【００８３】
それ以外の、指静脈認証装置１０−３における操作部２８、報知部３０、認証制御部３２ｂ、通信部３４、報知制御部３８の構成及び制御動作は、カード認証装置１０−１及び非接触カード認証装置１０−２の場合も同様であることから、その説明を省略する。
【００８４】
なお、本実施形態で、磁気カード１２及び非接触ＩＣカード１４に言語情報を記録しても良く、この場合、個人情報登録部３６ｂに登録した言語情報は、磁気カード１２及び非接触ＩＣカード１４から言語情報を読取ることができなかった場合のバックアップとして利用することもできる。
【００８５】
［本発明の変形例］
（認証装置）
上記の実施形態の認証装置として、カード認証装置、非接触カード認証装置、指静脈認証装置、手のひら静脈認証装置、顔認証装置を例にとるものであったが、本発明はこれに限定されず、適宜の個人情報を認証する認証装置を含む。
【００８６】
（初期設定した使用言語の言語情報）
上記の実施形態では、利用者が最も多い日本語については認証装置の使用言語として初期設定することで、言語情報のカード側への記録または認証装置側への登録を不要としているが、初期設定している日本語についても、他の言語と同様に、言語情報のカード側への記録または認証装置側への登録を行っても良い。このように全ての使用可能な言語につき言語情報をカード側への記録または認証装置側への登録とすることで、個人情報と共に行う言語情報の登録に関する設定操作を共通化して作業効率を高めたり、管理業務を容易にすることを可能とする。
【００８７】
なお、設定された言語によるメッセージ報知は、必ずしも表示と音声の両方をおこなう必要はなく、表示のみであっても良い。
【００８８】
各認証装置の設置付近には初期設定の言語を理解できる人が多いことが予想できることから、周囲の人にメッセージを聞かれるのを迷惑がる利用者もいることから、初期言語が設定されている利用者には、表示のみでメッセージを行う様にしてもよい。
【００８９】
また、初期設定の言語以外の言語でメッセージ報知を行った場合には、所定時間経過したのちに、もしくは個人情報の読み取った後に扉を解錠して出入動作が正常に完了した際には、初期設定の言語による報知可能状態に切り換わる。初期設定以外の言語での報知時には、初期設定の言語と利用者に設定された言語を切り換えて両方の言語で報知するようにしてもよい。
【００９０】
（アクセス制御）
上記の実施形態にあっては、認証装置と電気錠などの機器を制御するアクセス制御盤とを分けているが、認証装置とアクセス制御盤の制御機能を一体化しても良い。
【００９１】
個人情報登録部３６ａ、３６ｂは各認証装置１０側に設けず、アクセス制御盤１６、センター装置２２又はクライアント装置２４側に設けて、利用者の個人認証の度にアクセス制御盤等に設けられた個人情報登録部に問い合わせて電気錠１８の解錠制御や報知部３０の報知制御を行うようにしても良い。この場合は、アクセス制御盤等を含めて本特許請求の範囲の認証装置と呼ぶ。アクセス制御盤１６を複数台備えた場合には、クライアント装置２４で設定された利用者の個人情報（言語情報含む）が各アクセス制御盤１６や認証装置１０に備えた個人情報登録部３６に登録されて、言語情報の参照等が行わ。
【００９２】
（その他）
利用者が所持して出入時に使用する個人情報が格納された装置としては、上記の実施形態の磁気カードや非接触ＩＣカードに限らず、携帯電話などの個人認証時に使用する情報が記録可能な個人情報記録手段であれば特に限定されない。
【００９３】
また本発明は上記の実施形態に限定されず、その目的と利点を損なうことのない適宜の変形を含み、更に上記の実施形態に示した数値による限定は受けない。
【符号の説明】
【００９４】
１０−１：カード認証装置
１０−２：非接触ＩＣカード認証装置
１０−３：指静脈認証装置
１０−４：手のひら静脈認証装置
１０−５：顔認証装置
１２：磁気カード
１４：非接触ＩＣカード
１６：アクセス制御盤
１８−１〜１８−５：電気錠
２０：ＬＡＮ
２２：センター装置
２４：クライアント装置
２６：磁気カード読取部
２８：操作部
３０：報知部
３２ａ，３２ｂ：認証制御部
３４：通信部
３６ａ，３６ｂ：個人情報登録部
３８：報知制御部
４０：表示部
４２：音声報知部
４４：制御ブロック
４６：指静脈読取部
【図１】
0006054611.tif 000002
【図２】
0006054611.tif 000003
【図３】
0006054611.tif 000004
【図４】
0006054611.tif 000005
【図５】
0006054611.tif 000006